(57)【要約】【課題】        床ずれや褥瘡の原因は布団から出て起きる事どころか寝返りによる        体位交換が出来ない事により体の一部に圧力がかかり続けて汗による        湿度も高くなり湿った状態のまま肌に触れる事から皮膚に異常が出て        褥瘡となり回復には手間を要する。【解決手段】        床ずれや褥瘡を防止したり回復を早める為の体圧分散と通気性向上により        殆ど寝たままの状態でも布団が乾燥しやすい構造をロープや紐を交差させ        て凹凸を作り通気性を向上させた。凹凸部分は綿で包み皮膚への負担が        かからない厚みの構造とする。【選択図】図１
2006305316.tif 000002
【特許請求の範囲】
【請求項１】
綿で挟んだ中心となる内部に市松状に交差させると同時に
凹凸の部分で空間を持たせ綿のソフトな素材と撚りによって
硬いロープ状の素材で耐圧分散と通気性の向上の機能を有する
敷布団と座布団
【発明の詳細な説明】
【技術分野】
【０００１】
介護・福祉の分野で、自分で寝返りが出来ない患者さんに使用する為の寝具で
敷き布団と車椅子用座布団と座布団である。その為に長時間、同じ姿勢でいても快適さを
維持する為に耐圧を分散ささせると同時に通気性を確保する構造を内設させる必要が
ありロープを交差させると同時に綿などの天然素材との堅さの違いで素材同士の境目
（撚りで硬いロープや紐部分と綿そのものの部分）に凹凸を作り空間が出来る様に
して通気性を向上させた介護用寝具と寝具と座椅子又は車椅子用座布団と事務用椅子用
座布団。
【背景技術】
【０００２】
介護用のエァーマットは電気を使用し加圧送風機で通気性と弾力を確保する為、モーター音とエァーマットの素材が発する音が睡眠の妨げになり熟睡が出来ない欠点がある。
エアーが過剰に送られたり風量が不足して程よい圧力を得なれないと身体がフワフワしすぎて不安定な感じがしたり効果が少なくなったり併用して使用する寝具や体重のバランス
が取れない事があった。
【０００３】
本発明では、この問題を籐細工の編みからヒントを得て布団や座布団や介護用シートに籐の部分を紐にする事と間隔を寝具や車椅子用の座布団に丁度良い
間隔にする事で進歩させた。ハンモックを思わせる構造にロープや紐を交差させ綿で挟む事でベットで眠る為の構造であり両方の快適性を活かす発明である。座布団も同様の構造
である。
【発明の開示】
【発明が解決しようとする課題】
【０００４】
寝返りが出来ない患者さんへの体位交換は２時間であり身体への密着時間が
長いと汗で皮膚と布団の湿度が高くなり更に体圧が加わり床ずれから褥瘡
（じょくそう）が出来る。皮膚病から感染症へと病状が悪化する事もありえる。
低反発マットを使用した場合、身体になじむために通気性が損なわれる問題が
あり自力で寝返りして体位を変えられない事でムレて皮膚によくない。
敷き布団自体に体圧分散と通気性を有する構造のものが無く、布団の下に敷くマット
にウレタンの形状を凹凸に変えたり空気を通す溝を付けたりウレタン内部を
ヘチマ状にしたマットやバネ式スプリングからエァースプリングなどの弾性を
利用したものしかなく、敷き布団やシートについては、ソフト感を重視した
製品しかない。ウォーターベットの場合は水の重さと高さや背もたれの角度が
変わる介護用のベットに応用するのは構造上からも難しい。
敷布団の詰め物がソフトな綿だけでも健常者は、昼間は起きて仕事に
出かけるので使用しない時間がある為に万年床でも乾燥しソフトな状態に戻る。
布団の上げ下ろしを実行すれば、よりソフトな状態を保てる。
布団の復元力も寝たきりの人が使用すると汗による湿度と寝返り出来ない為に
同一箇所に圧力が継続してかかる。その為に皮膚に触れる部分は汗によるムレから
床ズレが起こり褥瘡となる状態が続いている。使用状態も過酷であるが寝心地が
悪いから寝返りが出来ないので体位交換まで耐えるしかない。二時間ごとの体交を
行う医療機関が多いが医療機関側は手間がおおかり患者側は眠っていても２時間ごと
に起こされる事もあり連続して睡眠が取れず体力の回復に時間がかかる。
経済力があれば革靴を２足交互に履いて乾燥の時間を長くする事で倍以上長持ち
する原理を応用出来れば理想的であるが広い部屋を維持してベットから寝具まで
全て一式を余分に持ち、維持するのは殆どの人には不可能である。
特に就労はおろか日常生活動作も無いから寝たきりとなり回復出来ないで床ずれから
褥瘡となる。この状態では就労不能であり不労所得が無いかぎり収入の道も年金などに
限られているケースが多い。
【課題を解決するための手段】
【０００５】
本発明の構造を現在、市販されている寝具や座布団へ内接する事で通気性の向上と
耐圧の分散が可能となる。現在、使用している敷布団の下のマットにもウレタンの
形状やスプリングを利用する事で耐圧分散と通気性の確保がされているので
組み合わせて使用する事でより快適な寝心地を得る事が出来る。直径が１ｃｍを超える
ロープや紐を交差させる事で凹凸が出来るが紐を結ぶ時に出来る玉で凹凸に加えて
突起が出て力がかからないように交差させて布で固定させる事で適度な凹凸を維持する。
介護の保険適用での利用可能な商品と健常者は市販品を購入できるようにする。
【発明の効果】
【０００６】
寝心地を良くする事で床ずれ防止と褥瘡の治癒を早める効果がある。
現在、市販されている床ずれ防止を目的とした寝具は、敷布団の下に敷くマットが
多く、皮膚に一番、密接する敷布団や敷布団の上に敷設して使用するシートの内部構造に
着目したものは皆無であった。敷布団タイプとシートタイプで商品展開して個々の
状態に合った使用が出来るようにする。
敷布団の段階で耐圧分散と通気性の向上を可能とすることでサーモグラフでの温度・
湿度の変化が少ない事が明確に確認された。汗のベタつきの防止効果が高い事が
確認できた。褥瘡患者にエアーマットレスとスプリングマットレスと本、発明の
布団を使用して訪問介護費用を比較したところ介護費用と医療費負担が月に１０
万円以上も病状の改善により金額として確認できた。
【発明を実施するための最良の形態】
【０００７】
【０００８】
本、発明は介護用品としてカタログに掲載され保険適用で福祉サービスとして
受けられると同時にユニバーサル製品として通常の寝具として誰もが購入可能
である事が望ましい。敷布団やシートや車椅子用座布団は介護用品。座椅子用
座布団は生活用品。事務用椅子に使用する座布団は事務用品で使用する。
【実施例１】
【０００９】
敷布団とシートと車椅子用座布団は、すでに試作品を制作しサンプルとして
使用してもらう事も実施済みである。製品の効果、有効性を数値化して証明する
為に医療機関に試作品を提供してデーターも収集済みである。
【産業上の利用可能性】
【００１０】
介護ビジネスに限らず、布団は寝具として利用可能である。
座布団は車椅子用と座椅子からビジネス用のオフィス用イスに使用する事で
ビニールシートなどで通気性が損なわれているタイプの椅子に使用して痔の改善にも
利用可能である。
【図面の簡単な説明】
【００１１】
【図１】上から見た上面図
【図２】横から見た断面図
【符号の説明】
【００１２】
１＝撚りによってロープや紐状の部分
２＝ロープや紐を等間隔に固定するための生地部分
３＝この内部構造の上に綿が覆う
４＝天然素材の布で包んで肌には天然素材が触れる
５＝綿
【図１】
2006305316.tif 000003
【図２】
2006305316.tif 000004